(57)【要約】収納盤２（筐体）と、収納盤２に挿脱自在に設けられるユニット３とを有する電力変換装置である。収納盤２のユニット３が挿入されるユニット挿入部２ａの内周部に、ガイド４、留め具５、コネクタ６を設ける。ユニット３の背面に、留め具５が嵌合する切り欠き部８と、コネクタ６に挿着される接続バー７を設ける。ガイド４に沿って、ユニット３をユニット挿入部２ａに挿入する際、留め具５と切り欠き部８とを嵌合させることで、ユニット３を正位置に案内する。ユニット３を正位置に案内した後、コネクタ６と接続バー７との電気的接続を行う。このような電力変換装置によれば、収納盤２へのユニット３の取付作業が容易になる。
2015076249.tif 000002
【特許請求の範囲】
【請求項１】
筐体に、回路を構成する部品を収納したユニットを挿脱可能に設ける電力変換装置であって、
前記ユニットは、該ユニットの挿入側端部に切り欠き部を有し、
前記筐体は、前記ユニットが挿脱可能なユニット挿入部と、
前記ユニット挿入部の内周部に設けられ、前記ユニットの挿脱方向に延びるガイドと、
前記ユニット挿入部の内周部に設けられ、前記筐体に前記ユニットを挿入するときに、該ユニットの切り欠き部に嵌合する留め具と、を有する電力変換装置。
【請求項２】
前記ユニットの挿入側端部に、前記ユニットに収納された回路と前記筐体に設けられた回路との電気的接続を行うユニット側接続部を設け、
前記ユニット挿入部の内周部に、前記ユニット側接続部が接続される筐体側接続部を設け、
前記ユニット挿入部に前記ユニットを挿入して、前記ユニット側接続部と前記筐体側接続部との接続を行う請求項１に記載の電力変換装置。
【請求項３】
前記切り欠き部の開口端部を、開口方向になだらかに拡幅する請求項１または請求項２に記載の電力変換装置。
【請求項４】
前記留め具は、前記ユニット挿入部の底面部から立設して設けられる立設部と、該立設部の先端部から、前記ユニット挿入部の開口方向に延在する嵌合部と、を有し、
前記切り欠き部は、前記嵌合部が嵌合する嵌合溝と、前記嵌合部の底面に摺接する摺接部と、を有する請求項１から請求項３のいずれか１項に記載の電力変換装置。
【請求項５】
前記嵌合部の先端部の両側部を、前記嵌合部の先端部がなだらかに先細りとなるように形成する請求項４に記載の電力変換装置。
【請求項６】
前記嵌合部の先端部を、上方に屈曲させる請求項４または請求項５に記載の電力変換装置。
【請求項７】
前記ユニット挿入部に、前記ユニットを支持する支持板を設け、前記ガイドを支持板に立設する請求項１から請求項６のいずれか１項に記載の電力変換装置。
【請求項８】
前記ガイドは、前記ユニットの下面を支持する支持部と、前記ユニットの側面と対向する側部と、を有する請求項１から請求項６のいずれか１項に記載の電力変換装置。
【請求項９】
筐体に、回路を構成する部品を収納したユニットを挿脱可能に設ける電力変換装置であって、
前記筐体は、前記ユニットが挿脱可能なユニット挿入部と、
前記ユニット挿入部の内周部に設けられ、前記ユニットの挿脱方向に延びるガイドと、
前記ガイドの前記ユニットの挿入側端部に設けられる留め具と、を有し、
前記ユニットは、該ユニットの側部から延在する摺動部材を有し、
前記筐体の回路と前記ユニットの回路との電気的接続を行う前に、前記摺動部材が前記ガイド上を摺動するように前記ユニットを前記ユニット挿入部に挿入し、前記留め具が前記ユニットを前記筐体の回路と前記ユニットの回路との電気的接続が可能な位置に案内する電力変換装置。
【発明の詳細な説明】
【技術分野】
【０００１】
本発明は、回路を構成する部品を搭載したユニットを、筐体に挿脱可能に設ける電力変換装置に関する。
【背景技術】
【０００２】
電力変換装置には、例えば、ＩＧＢＴなどの電力変換回路の部品を搭載しているユニットを筐体に挿脱可能に設け、筐体に挿入されたユニットがコネクタ（若しくは、断路器やコンタクタ等）を介して配電盤と電気的に接続されるものがある（例えば、特許文献１）。【０００３】
このようなユニットを筐体に挿脱可能に設ける電力変換装置では、筐体側の回路（例えば、配電盤）とユニット側の回路との電気的接続が確実に行われるように、筐体側の回路の接続部とユニット側の回路の接続部とが位置合わせされた位置（以後、正位置という）にユニットを取り付ける必要がある。【０００４】
しかし、ユニットを取り付けるときに、ユニットの位置ずれが生じる場合があり、このような場合には、ユニットの正位置での取付作業が困難となるおそれがある。【０００５】
そのため、従来技術に係る電力変換装置では、ユニットが挿入される筐体のユニット挿入部にレールを設け、このレール上を摺動する摺動部材にユニットを保持することで、レールによりユニットを正位置に案内し、ユニットの位置ずれを防止している。【０００６】
具体的に説明すると、図１５に示すような、スライドレール１５が用いられる。スライドレール１５は、筐体に固設されるアウタチャンネル１６とユニットに固設されるインナチャンネル１７とを有し、筐体にユニットを挿入する際に、インナチャンネル１７がアウタチャンネル１６に挿嵌される。すなわち、筐体にユニットを挿入する際、スライドレール１５によりユニットの挿入方向に対して垂直方向及び水平方向の位置決めがされるので、筐体側の回路の接続部とユニット側の回路の接続部の電気的な接続が確実に行われることとなる。【０００７】
しかしながら、筐体にレールを取り付けること（及び摺動部材にユニットを保持すること）は、電力変換装置のコストを増大させる要因やユニットの取付作業に時間がかかる等の製造コストを増大させる要因となるおそれがある。また、レールを設けるスペースが必要となるので電力変換装置の小型化が妨げられるおそれがある。
【先行技術文献】
【特許文献】
【０００８】
【特許文献１】実開平０６−０７４０９２号公報
【発明の概要】
【０００９】
本発明は、回路を構成する部品を搭載したユニットを筐体に挿脱可能に設ける電力変換装置において、ユニットの取付作業を容易に行うことに貢献する技術を提供することを目的とする。
【００１０】
上記目的を達成する本発明の電力変換装置の一態様は、筐体に、回路を構成する部品を収納したユニットを挿脱可能に設ける電力変換装置であって、前記ユニットは、該ユニットの挿入側端部に切り欠き部を有し、前記筐体は、前記ユニットが挿脱可能なユニット挿入部と、前記ユニット挿入部の内周部に設けられ、前記ユニットの挿脱方向に延びるガイドと、前記ユニット挿入部の内周部に設けられ、前記筐体に前記ユニットを挿入するときに、該ユニットの切り欠き部に嵌合する留め具と、を有する。
【００１１】
また、上記目的を達成する本発明の電力変換装置の他の態様は、筐体に、回路を構成する部品を収納したユニットを挿脱可能に設ける電力変換装置であって、前記筐体は、前記ユニットが挿脱可能なユニット挿入部と、前記ユニット挿入部の内周部に設けられ、前記ユニットの挿脱方向に延びるガイドと、前記ガイドの前記ユニットの挿入側端部に設けられる留め具と、を有し、前記ユニットは、該ユニットの側部から延在する摺動部材を有し、前記筐体の回路と前記ユニットの回路との電気的接続を行う前に、前記摺動部材が前記ガイド上を摺動するように前記ユニットを前記ユニット挿入部に挿入し、前記留め具が前記ユニットを前記筐体の回路と前記ユニットの回路との電気的接続が可能な位置に案内する。
【図面の簡単な説明】
【００１２】
【図１】（ａ）本発明の第１実施形態に係る電力変換装置のユニットが収納された状態を示す斜視図、（ｂ）本発明の第１実施形態に係る電力変換装置のユニットが引き出された状態を示す斜視図である。
【図２】本発明の第１実施形態に係る電力変換装置の収納盤のユニット挿入部の拡大図である。
【図３】（ａ）留め具の上面図、（ｂ）留め具の側面図である。
【図４】本発明の第１実施形態に係る電力変換装置のユニットの背面斜視図である。
【図５】ユニットの切り欠き部の拡大図である。
【図６】ユニットの切り欠き部に収納盤の留め具が嵌合する過程を説明する説明図である。
【図７】ユニットの切り欠き部に留め具が嵌合した状態を示す縦断面図である。
【図８】（ａ）本発明の第２実施形態に係る電力変換装置のユニットが収納された状態を示す斜視図、（ｂ）本発明の第２実施形態に係る電力変換装置のユニットが引き出された状態を示す斜視図である。
【図９】本発明の第２実施形態に係る電力変換装置の収納盤のユニット挿入部の拡大図である。
【図１０】（ａ）留め具の斜視図、（ｂ）留め具の側面図である。
【図１１】本発明の第２実施形態に係る電力変換装置のユニットの背面斜視図である。
【図１２】摺動部材の切り欠き部の拡大図である。
【図１３】摺動部材の切り欠き部に収納盤の留め具が嵌合する過程を説明する説明図である。
【図１４】摺動部材の切り欠き部に留め具が嵌合した状態を示す側面図である。
【図１５】（ａ）従来技術に係る電力変換装置のスライドレールを示す図、（ｂ）図１５（ａ）のＡ−Ａ断面図、（ｃ）図１５（ａ）のＢ方向矢視図である。
【発明を実施するための形態】
【００１３】
本発明の実施形態に係る電力変換装置について、図面を参照して詳細に説明する。
【００１４】
［第１実施形態］
図１（ａ），（ｂ）に示すように、本発明の第１実施形態に係る電力変換装置１は、収納盤２（筐体）と、収納盤２に挿脱可能に設けられるユニット３とを有する。なお、実施形態の説明では、ユニット３を引き出す方向を前方向（前面）とし、ユニット３を挿入する方向を後ろ方向（背面）とするが、前後方向は、本発明をなんら限定するものではない（第２実施形態も同様である）。
【００１５】
収納盤２は、例えば、配電盤である。図２に示すように、収納盤２は、ユニット３が挿入されるユニット挿入部２ａを有する。ユニット挿入部２ａの内周部には、ガイド４、留め具５、コネクタ６（筐体側接続部）が設けられる。
【００１６】
ガイド４は、ユニット挿入部２ａの内底部から立設し、ユニット挿入部２ａの前後方向に沿うように設けられる。ガイド４は、ユニット挿入部２ａの内底部と接する固定部４ａと、固定部４ａの端部から立設するガイド部４ｂとを有する縦断面Ｌ字状の板部材であり、固定部４ａがユニット挿入部２ａの内底部に固定される。
【００１７】
留め具５は、ユニット挿入部２ａの内底部であって、ユニット３を挿入したときに、ユニット３の背面の下端が位置する箇所の近傍に設けられる。留め具５は、ユニット挿入部２ａの底面部から立設するように設けられる立設部５ａと、立設部５ａの先端部から前方向（すなわち、ユニット挿入部２ａの開口方向）に延在する嵌合部５ｂとを有する。図３（ａ）に示すように、嵌合部５ｂの先端部の両側部５ｃは、先端部が先細りとなるように、曲率を有する形状に形成されている。すなわち、嵌合部５ｂの先端部は、先端に行くにしたがってなだらかに幅が狭くなっている。また、図３（ｂ）に示すように、嵌合部５ｂの先端部は上方向に曲折されており、嵌合部５ｂの先端に押止部５ｄが形成されている。
【００１８】
コネクタ６は、ユニット挿入部２ａの内周部であって、ユニット３の背面と対向して設けられる。コネクタ６は、収納盤２に設けられる回路と、ユニット３に収納される回路との電気的接続を行う。なお、収納盤２に設けられる回路と、ユニット３に収納される回路とを、断路器やコンタクタを介して電気的に接続する形態としてもよい。
【００１９】
ユニット３は、例えば、インバータユニットであり、ユニット３内部には、図示省略の制御回路、電源回路、半導体素子等が収納される。図１（ａ），（ｂ）に示すように、ユニット３は、収納盤２に挿脱可能に設けられる。また、ユニット３の前面の上端部から短冊状の取付板３ａが延在して設けられており、取付板３ａを収納盤２に螺設してユニット３が収納盤２に固定される。また、図４に示すように、ユニット３の背面であって、収納盤２のコネクタ６に対応する箇所には、それぞれコネクタ６に挿着される接続バー７（ユニット側接続部）が設けられる。さらに、ユニット３の背面であって、収納盤２の留め具５に対応する箇所には、留め具５が嵌合する切り欠き部８が形成される。
【００２０】
切り欠き部８は、図５に示すように、留め具５の嵌合部５ｂが嵌合する嵌合溝８ａと、嵌合部５ｂの底面が摺接する摺接部８ｂとを有する。なお、嵌合溝８ａの開口の縁部８ｃは、なだらかな曲率を有する形状に形成されており、嵌合溝８ａは、嵌合溝８ａの開口方向になだらかに拡幅する形状となっている。
【００２１】
［ユニットの取付方法］
図６を参照して、収納盤２にユニット３を取り付ける方法について詳細に説明する。なお、図中の矢印は、ユニット３の挿入方向を示している。なお、留め具５と切り欠き部８の嵌合部分は、実際には、ユニット３の側面に設けられるカバー等により隠れることとなるが、説明をわかりやすくするため、ユニット３の側面に設けられるカバー等を図示省略している。
【００２２】
図６に示すように、ユニット３の挿入方向に対して右側のユニット３の側面を収納盤２内に配置されたガイド４（図示せず）に当てつけながら、収納盤２内にユニット３を挿入する。
【００２３】
収納盤２内にユニット３を挿入すると、コネクタ６と接続バー７との通電部の接続を開始する前に、収納盤２内に配置された留め具５がユニット３背面部に設けられた切り欠き部８に嵌挿し、ユニット３が正位置（換言すると、コネクタ６と接続バー７との接続が確実に行われる位置）に誘導される。
【００２４】
このとき、ユニット３の挿入位置にずれが生じていると、ユニット３の背面部が留め具５に当接することとなる。例えば、ユニット３の挿入位置がユニット３の正位置に対して左右方向にずれている場合、留め具５の両側部５ｃ及び切り欠き部８の縁部８ｃが曲率を有する形状に形成されているので、ユニット３の挿入位置が、両側部５ｃ（及び縁部８ｃ）により収納盤２内の正位置に案内されることとなる。また、ユニット３の挿入位置がユニット３の正位置に対して上方向にずれている場合、留め具５の押止部５ｄの下面が切り欠き部８の摺接部８ｂの端縁と当接することで、ユニット３の挿入位置が、押止部５ｄにより収納盤２内の正位置に案内されることとなる。その結果、ユニット３の挿入位置が正位置から左右方向または上方向にずれた場合でも、留め具５が切り欠き部８に嵌合することでユニット３が正位置に配置されることとなる。
【００２５】
そして、留め具５が切り欠き部８に嵌挿されることでユニット３が正位置に移動した後に、さらに、ユニット３を押し込むと、ユニット３の接続バー７が収納盤２のコネクタ６に挿着され、コネクタ６と接続バー７との電気的な接続が行われる。このとき、留め具５の立設部５ａも切り欠き部８に嵌合することとなる。最後に、ユニット３の取付板３ａを収納盤２に螺設して、ユニット３が収納盤２に固定される。
【００２６】
以上のような本発明の第１実施形態に係る電力変換装置１によれば、収納盤２に挿脱可能に設けられたユニット３の取付作業を容易に行うことができる。
【００２７】
また、本発明の第１実施形態に係る電力変換装置１は、ユニット３を正位置に確実に案内することができるので、ユニット３に収納された回路と収納盤２に設けられた回路との接続を確実に行うことができ、コネクタ６や接続バー７の破損を防止することができる。
【００２８】
また、留め具５を切り欠き部８に嵌合させることで、ユニット３の振動に対する強度を向上させることができる。図７に示すように、留め具５が切り欠き部８に嵌合すると、留め具５の嵌合部５ｂの下面と切り欠き部８の摺接部８ｂの上面とが接することで、ユニット３の上下方向の振動が抑制される。さらに、押止部５ｄが切り欠き部８奥（ユニット３の前面方向）の上端部８ｄと接することで、ユニット３が押止部５ｄによって下方向に押圧されることとなり、ユニット３の上下方向の振動がより抑制される。なお、留め具５が切り欠き部８に嵌合することで、ユニット３の左右方向の振動も抑制されることとなるが、ユニット３の取付板３ａを収納盤２に螺設することで、ユニット３の左右方向の振動がさらに抑制される。
【００２９】
また、本発明の第１実施形態に係る電力変換装置１は、ユニット３を正位置に案内するレールを設けていないので、電力変換装置１のコストを低減することができる。また、電力変換装置１の製造時に、レールを取り付ける作業を削減することができる。また、レールを取り付けるためのスペースが不要になるので、電力変換装置１を小型化することができる。
【００３０】
［第２実施形態］
図８（ａ），（ｂ）に、本発明の第２実施形態に係る電力変換装置９を示す。図８（ａ），（ｂ）に示すように、本発明の第２実施形態に係る電力変換装置９は、収納盤１０（筐体）と、収納盤１０に挿脱可能に設けられるユニット１１とを有する。
【００３１】
収納盤１０は、例えば、配電盤である。図９に示すように、収納盤１０は、ユニット１１が挿入されるユニット挿入部１０ａを有する。ユニット挿入部１０ａの内周部には、ユニット１１を支持する支持部材１２、支持部材１２の端部に設けられる留め具１３、コネクタ６が設けられる。
【００３２】
支持部材１２は、ユニット挿入部１０ａに挿入されたユニット１１の側面の下端に対応する位置にそれぞれ設けられる。支持部材１２は、ユニット１１の下面と接する支持部１２ａと、ユニット１１の側面と対向する側部１２ｂとを有し、ユニット挿入部１０ａの前後方向に沿うように設けられる。支持部材１２は、実施形態１に係る電力変換装置１のガイド４に相当する機能を有する。
【００３３】
留め具１３は、支持部材１２の後ろ方向（すなわち、ユニット挿入部１０ａの奥方向）の端部に設けられる。図１０（ａ），（ｂ）に示すように、留め具１３は、後に詳細に説明する摺動部材１４の上面と摺接する抑え部１３ａと、ユニット１１をユニット挿入部１０ａに挿入する際に摺動部材１４の端部が当接可能であり、摺動部材１４を抑え部１３ａの下方に案内する案内部１３ｂと、を有する。すなわち、留め具１３は、支持部材１２の側部１２ｂの奥端部に固定される固定部１３ｃと、固定部１３ｃの下端部から奥下方に延在する案内部１３ｂと、案内部１３ｂの下端部から奥方向に延在する抑え部１３ａとを有する。
【００３４】
コネクタ６は、ユニット挿入部１０ａの内周部であって、ユニット１１の背面と対向して設けられる。コネクタ６は、収納盤１０に設けられる回路と、ユニット１１に収納される回路との電気的接続を行う。なお、収納盤１０に設けられる回路と、ユニット１１に収納される回路とを、断路器やコンタクタを介して電気的に接続する形態としてもよい。
【００３５】
ユニット１１は、例えば、インバータユニットであり、ユニット１１内部には、図示省略の制御回路、電源回路、半導体素子等が収納される。図８（ａ），（ｂ）に示すように、ユニット１１は、収納盤１０に挿脱可能に設けられる。また、ユニット１１の前面近傍の両側端部には、短冊状の取付板１１ａがユニット１１の側端部から延在して設けられており、取付板１１ａを収納盤１０に螺設してユニット１１が収納盤１０に固定される。また、図１１に示すように、ユニット１１の背面であって、収納盤１０のコネクタ６に対応する箇所には、それぞれコネクタ６に挿着される接続バー７が設けられる。さらに、ユニット１１の下端部であって、ユニット１１の側部から突出した状態で摺動部材１４が設けられる。なお、実施形態の説明では、ユニット１１に摺動部材１４を設ける形態を示しているが、摺動部材１４は、ユニット１１の筐体と一体形成することもできる。すなわち、ユニット１１の下面を閉塞する板をユニット１１の側面を閉塞する板より突出するように設け、摺動部材１４として機能させることができる。
【００３６】
摺動部材１４は、ユニット１１の下端部に設けられる。摺動部材１４は、ユニット１１の前後方向に沿うように配設される板状の部材であり、ユニット１１の側部から突出して設けられる。ユニット１１をユニット挿入部１０ａに挿設する際には、ユニット１１の摺動部材１４の下面が支持部材１２の支持部１２ａ上を摺動し、ユニット１１がユニット挿入部１０ａの所定の位置に案内される。また、ユニット挿入部１０ａにユニット１１を挿設した際には、摺動部材１４が支持部材１２に支持され、ユニット１１がユニット挿入部１０ａ内に支持されることとなる。
【００３７】
図１２に示すように、摺動部材１４の後ろ側（すなわち、奥側）端部には、切り欠き部１４ａが形成される。すなわち、摺動部材１４の厚さは、中央部より奥端部の厚みが薄くなっている。また、切り欠き部１４ａであって、ユニット挿入部１０ａにユニット１１を挿設した際に留め具１３の抑え部１３ａが位置する部分は、抑え部１３ａが嵌合できる形状となっている。
【００３８】
［ユニットの取付方法］
図１３を参照して、収納盤１０にユニット１１を取り付ける方法について詳細に説明する。なお、留め具１３は、実際には、収納盤１０の側面に設けられるカバー等により隠れることとなるが、説明をわかりやすくするため、収納盤１０の側面に設けられるカバー等を図示省略している。
【００３９】
図１３に示すように、ユニット１１を収納盤１０に挿入する際に、摺動部材１４を支持部材１２上を摺動させてユニット１１を挿入する。このとき、摺動部材１４の側端面と支持部材１２の側部１２ｂとが当接することで、ユニット１１の左右方向（すなわち、ユニット１１の側面と垂直方向）の位置が定められることとなる。また、摺動部材１４の下面が支持部材１２の支持部１２ａ上を摺動することにより、ユニット１１の上下方向（すなわち、摺動部材１４と支持部１２ａとの摺接面と垂直方向）の位置が定められることとなる。
【００４０】
収納盤１０内にユニット１１を挿入すると、コネクタ６が接続バー７に接続される前に、摺動部材１４の切り欠き部１４ａが、留め具１３の抑え部１３ａの下方を通過する。すなわち、留め具１３の抑え部１３ａまたは案内部１３ｂにより、摺動部材１４が所定の位置に案内されることとなる。その結果、ユニット１１がユニット挿入部１０ａの所定の位置に案内される。
【００４１】
なお、摺動部材１４の後ろ側の端部の上方に面取り部を形成すると、ユニット１１を抑え部１３ａの下方向に案内しやすくなる。すなわち、摺動部材１４の後ろ側の端部（すなわち、ユニット挿入部１０ａの奥側の端部）をなだらかな曲面状に形成することで、ユニット１１を留め具１３の下方へ案内し易くなる。例えば、ユニット１１が所定の位置より上にずれていた場合、摺動部材１４の後ろ側の端部が留め具１３の案内部１３ｂに当接することで、摺動部材１４が抑え部１３ａの下方を通過する位置に案内されることとなる。同様に、抑え部１３ａの側端部に面取り部を形成すると、ユニット１１の左右方向のずれを吸収することができる。すなわち、抑え部１３ａの端部を奥に行くにしたがって広がるように面取り部を形成することで、ユニット１１の左右方向がずれていた場合でも、ユニット１１の側面が留め具１３の側面を摺動することで、ユニット１１の左右方向のずれが修正される。
【００４２】
このようにユニット１１がユニット挿入部１０ａの所定の位置に案内された後、さらに、ユニット１１を押し込むと、ユニット１１の接続バー７が収納盤１０のコネクタ６に挿着され、コネクタ６と接続バー７との電気的な接続が行われる。このとき、図１４に示すように、留め具１３の抑え部１３ａが切り欠き部１４ａに嵌合するとともに、抑え部１３ａの下面が切り欠き部１４ａの上面と接し、ユニット１１の上下方向（図中矢印で示す）のずれが抑制される。最後に、ユニット１１の取付板１１ａを収納盤１０に螺設して、ユニット１１が収納盤１０に固定される。
【００４３】
以上のような本発明の第２実施形態に係る電力変換装置９によれば、収納盤１０に挿脱可能に設けられたユニット１１の取付作業を容易に行うことができる。
【００４４】
また、本発明の第２実施形態に係る電力変換装置９は、ユニット１１を収納盤１０に収納する際に、ユニット１１をユニット挿入部１０ａの正位置に確実に案内することができるので、ユニット１１に収納された回路と収納盤１０に設けられた回路との接続を確実に行うことができ、コネクタ６や接続バー７の破損を防止することができる。
【００４５】
また、留め具１３が切り欠き部１４ａに嵌合することで、ユニット１１の左右方向の振動も抑制される。さらに、留め具１３の抑え部１３ａの下面が摺動部材１４の切り欠き部１４ａの上面に接することで、電力変換装置９の耐振動性が向上する。特に、留め具１３の抑え部１３ａが摺動部材１４を押圧するように留め具１３を設けることで、電力変換装置９の耐振動性がさらに向上する。
【００４６】
また、本発明の第２実施形態に係る電力変換装置９は、ユニット１１を正位置に案内するレールを設けていないので、電力変換装置９のコストを低減することができる。また、電力変換装置１の製造時に、収納盤１０及びユニット１１に正確に位置決めをしてレールを取り付ける作業を削減することができる。また、レールを取り付けるためのスペースが不要になるので、電力変換装置１を小型化することができる。
【００４７】
また、本発明の第２実施形態に係る電力変換装置９は、支持部材１２でユニット１１を支持することができるので、本発明の第１実施形態に係る電力変換装置１よりもユニット１１を支持する部材が小さくなり、電力変換装置９のコストを低減することができる。
【００４８】
以上、本発明の電力変換装置について、具体例を示して詳細に説明したが、本発明の電力変換装置は、上述した実施形態に限らず、本発明の特徴を損なわない範囲で適宜設計変更が可能あり、そのように設計変更された形態も本発明の電力変換装置の技術的範囲に属する。
【００４９】
例えば、電力変換装置に設けられるユニットの数は、実施例に限定されるものではなく、適宜必要な数のユニットを電力変換装置に設けることができる。具体的な例を挙げると、本発明の電力変換装置をセル多重方式のマルチレベルインバータに適用した場合には、高電圧化する出力電圧に応じて適宜必要な数のユニット（インバータセル）が設けられることとなる。
【００５０】
また、本発明の電力変換装置において、留め具や切り欠き部の形状は、個々の形状がそれぞれ個別の効果を有する形状である。よって、効果を有する形状の一部を備えた留め具や切り欠き部を用いることで、本発明の電力変換装置の効果の一部を得ることができる。
【００５１】
また、第２実施形態の電力変換装置９において、切り欠き部１４ａは必須の構成ではなく、ユニット１１の側面と摺動部材１４の上面とに、当接するように留め具１３を固定すれば、切り欠き部１４ａを省略することができる。
【００５２】
また、第１実施形態の電力変換装置１と第２実施形態の電力変換装置９とを組み合わせることで、第１実施形態の電力変換装置１と第２実施形態の電力変換装置９の効果を併せて得ることができる。
【図１】
2015076249.tif 000003
【図２】
2015076249.tif 000004
【図３】
2015076249.tif 000005
【図４】
2015076249.tif 000006
【図５】
2015076249.tif 000007
【図６】
2015076249.tif 000008
【図７】
2015076249.tif 000009
【図８】
2015076249.tif 000010
【図９】
2015076249.tif 000011
【図１０】
2015076249.tif 000012
【図１１】
2015076249.tif 000013
【図１２】
2015076249.tif 000014
【図１３】
2015076249.tif 000015
【図１４】
2015076249.tif 000016
【図１５】
2015076249.tif 000017
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
筐体に、回路を構成する部品を収納したユニットを挿脱可能に設ける電力変換装置であって、
前記ユニットは、該ユニットの挿入側端部に切り欠き部を有し、
前記筐体は、前記ユニットが挿脱可能なユニット挿入部と、
前記ユニット挿入部の内周部に設けられ、前記ユニットの挿脱方向に延びるガイドと、
前記ユニット挿入部の内周部に設けられ、前記筐体に前記ユニットを挿入するときに、該ユニットの切り欠き部に嵌合する留め具と、を有し、
前記留め具は、前記ユニット挿入部の開口方向に延在する嵌合部を有し、
前記切り欠き部は、前記嵌合部が嵌合する嵌合溝と、前記嵌合部の底面に摺接する摺接部と、を有する電力変換装置。
【請求項２】
前記ユニットの挿入側端部に、前記ユニットに収納された回路と前記筐体に設けられた回路との電気的接続を行うユニット側接続部を設け、
前記ユニット挿入部の内周部に、前記ユニット側接続部が接続される筐体側接続部を設け、
前記ユニット挿入部に前記ユニットを挿入して、前記ユニット側接続部と前記筐体側接続部との接続を行う請求項１に記載の電力変換装置。
【請求項３】
前記切り欠き部の開口端部を、開口方向になだらかに拡幅する請求項１または請求項２に記載の電力変換装置。
【請求項４】
前記留め具は、前記ユニット挿入部の底面部から立設して設けられる立設部を有し、前記嵌合部は、前記立設部の先端部から前記ユニット挿入部の開口方向に延在する請求項１から請求項３のいずれか１項に記載の電力変換装置。
【請求項５】
前記嵌合部の先端部の両側部を、前記嵌合部の先端部がなだらかに先細りとなるように形成する請求項４に記載の電力変換装置。
【請求項６】
前記嵌合部の先端部を、上方に屈曲させる請求項４または請求項５に記載の電力変換装置。
【請求項７】
前記ユニット挿入部に、前記ユニットを支持する支持板を設け、前記ガイドを支持板に立設する請求項１から請求項６のいずれか１項に記載の電力変換装置。
【請求項８】
前記ガイドは、前記ユニットの下面を支持する支持部と、前記ユニットの側面と対向する側部と、を有する請求項１から請求項６のいずれか１項に記載の電力変換装置。
【請求項９】
筐体に、回路を構成する部品を収納したユニットを挿脱可能に設ける電力変換装置であって、
前記筐体は、前記ユニットが挿脱可能なユニット挿入部と、
前記ユニット挿入部の内周部に設けられ、前記ユニットの挿脱方向に延びるガイドと、
前記ガイドの前記ユニットの挿入部の後部側の端部に設けられる留め具と、を有し、
前記ユニットは、該ユニットの側部から延在する摺動部材を有し、
前記留め具は、前記摺動部材の上面と摺接する抑え部と、前記ユニットを前記ユニット挿入部に挿入する際に前記摺動部材の端部が当接可能であり、該摺動部材を前記抑え部の下方に案内する案内部と、を有し、
前記筐体の回路と前記ユニットの回路との電気的接続を行う前に、前記摺動部材が前記ガイド上を摺動するように前記ユニットを前記ユニット挿入部に挿入し、前記留め具が前記ユニットを前記筐体の回路と前記ユニットの回路との電気的接続が可能な位置に案内する電力変換装置。
【国際調査報告】
2015076249.tif 000018
2015076249.tif 000019
2015076249.tif 000020
2015076249.tif 000021